(57)【要約】【課題】照明付き換気装置内部の掃除やメンテナンスを行うときに、照明装置に接続されている電源コードをはずす必要のない換気装置を提供することを目的とする。【解決手段】室内の空気を排気するファン１と、ファン１を駆動するモータ２と、換気装置の運転を制御する制御手段３と、換気装置本体下面開口部にルーバ４を有し、ルーバ４は室内を照明するＬＥＤ照明５と、電磁誘導にてＬＥＤ照明５に電力を供給する駆動手段６を備えた換気装置。【選択図】図１
2011242068.tif 000002
【特許請求の範囲】
【請求項１】
室内の空気を排気するファンと、前記ファンを駆動するモータと、換気装置の運転を制御する制御手段と、換気装置本体下面開口部にルーバを有し、前記ルーバは室内を照明するＬＥＤ照明と、電磁誘導にてＬＥＤ照明に電力を供給する駆動手段を備えた換気装置。
【請求項２】
制御手段はＬＥＤ照明と換気装置の運転を独立して制御する請求項１記載の換気装置。
【請求項３】
人感センサを有し、前記制御手段は人感センサの入力に応じてＬＥＤを駆動するＬＥＤ制御手段を有する請求項２記載の換気装置。
【請求項４】
換気装置本体下面開口部に前記ルーバの有無を検知する検知手段を設け、前記検知手段により前記ルーバの有無を判断する判断手段を有する請求項１記載の換気装置。
【請求項５】
検知手段は接触型スイッチで構成する請求項４記載の換気装置。
【請求項６】
検知手段は非接触型スイッチで構成する請求項４記載の換気装置。
【請求項７】
判断手段によりルーバ無と判断された場合、換気装置の運転を停止させる請求項４から６のいずれか一つに記載の換気装置。
【請求項８】
ルーバを取り外した状態でＬＥＤ照明を駆動する蓄電手段を有する請求項１記載の換気装置。
【請求項９】
ルーバを取り外した状態で一定時間ＬＥＤ照明を点灯させる請求項１または８に記載の換気装置。
【請求項１０】
ルーバはＬＥＤ照明の照明を本体側にも透過する構成にした請求項１記載の換気装置。
【請求項１１】
蓄電手段は充電池で構成する請求項８記載の換気装置。
【請求項１２】
蓄電手段は電気二重層コンデンサで構成する請求項８記載の換気装置。
【請求項１３】
蓄電手段は少なくとも照明駆動手段の駆動電力を上回る容量で構成する請求項８から１２のいずれか一つに記載の換気装置。
【発明の詳細な説明】
【技術分野】
【０００１】
本発明は、建物に取り付けられ室内空気の換気に加え、室内の照明を行う換気装置に関するものである。
【背景技術】
【０００２】
一般的な住宅には、室内空間を換気するための各種の換気装置と、室内空間に一定の照度を提供するための各種の照明装置とが設置される。
【０００３】
換気装置は、空気の移動通路を形成するダクトと、ダクトに室内と室外の空気を入れ替えるためのファンを含んで構成される。一方照明装置は、各種照明装置に電源コードなどを接続して電力を供給することで、室内を照明するものである。
【０００４】
近年ではトイレや風呂場などの換気装置のルーバ部分に照明装置を設け、照明装置を別途設けることなく室内空間に一定の照度を提供する換気装置が提案されている。
【先行技術文献】
【特許文献】
【０００５】
【特許文献１】米国特許出願公開第２００５／０１１１８４０号明細書
【発明の概要】
【発明が解決しようとする課題】
【０００６】
このような換気装置は、照明装置には電源コードが接続されており、掃除やメンテナンス等を行う場合、電源コードをはずさなければならないという課題を有していた。
【０００７】
そこで本発明は、上記課題を解決するものであり、照明付き換気装置内部の掃除やメンテナンスを行うときに、照明装置に接続されている電源コードをはずす必要のない換気装置を提供することを目的とする。
【課題を解決するための手段】
【０００８】
そして、この目的を達成するために、本発明は、室内の空気を排気するファンと、前記ファンを駆動するモータと、換気装置の運転を制御する制御手段と、換気装置本体下面開口部にルーバを有し、前記ルーバは室内を照明するＬＥＤ照明と、電磁誘導にてＬＥＤ照明に電源を供給する駆動手段を備えた換気装置としたものであり、これにより所期の目的を達成するものである。
【発明の効果】
【０００９】
本発明によれば、室内の空気を排気するファンと、前記ファンを駆動するモータと、換気装置の運転を制御する制御手段と、換気装置本体下面開口部にルーバを有し、前記ルーバは室内を照明するＬＥＤ照明と、電磁誘導にてＬＥＤ照明に電力を供給する駆動手段を備えた換気装置という構成にしたことにより、電磁誘導により電力を供給することで、換気装置本体からルーバに備えたＬＥＤ照明に電源コードを使わずに電源を供給することができ、換気扇本体とルーバは電源コードで接続する必要がなくなるので、換気装置内部のメンテナンスをするときに、コネクタをはずすなどの作業が不要になるという効果を得ることができる。
【図面の簡単な説明】
【００１０】
【図１】本発明の実施の形態１の換気装置の構成を示す横断面図
【図２】同換気装置の非接触給電方式を示す回路図
【図３】本発明の実施の形態２の換気装置の構成を示す横断面図
【図４】本発明の実施の形態３の換気装置の構成を示す横断面図（（ａ）リミットスイッチＯＦＦ時の図、（ｂ）リミットスイッチＯＮ時の図）
【図５】本発明の実施の形態４の換気装置の構成を示す横断面図（（ａ）非接触スイッチＯＦＦ時の図、（ｂ）非接触スイッチＯＮ時の図）
【図６】本発明の実施の形態５の換気装置の構成を示す横断面図
【図７】本発明の実施の形態５のルーバの構成を示す図（（ａ）上面図（ｂ）斜視図）
【発明を実施するための形態】
【００１１】
本発明の請求項１記載の換気装置は、室内の空気を排気するファンと、前記ファンを駆動するモータと、換気装置の運転を制御する制御手段と、換気装置本体下面開口部にルーバを有し、前記ルーバは室内を照明するＬＥＤ照明と、電磁誘導にてＬＥＤ照明に電力を供給する駆動手段を備えた換気装置という構成を有する。これにより、照明用のコネクタを使用せずにルーバに照明を取り付けられるので、換気装置内部のメンテナンスをするときに、コネクタをはずすなどの作業が不要となるという効果を奏する。
【００１２】
また、前記制御手段はＬＥＤ照明と換気装置の運転を独立して制御するという構成にしてもよい。これにより、ＬＥＤ照明と換気装置を独立して動作させられるので、照明として使用する場合、換気装置として使用する場合、照明かつ換気装置として使用する場合の３パターンで状況に応じて運転でき、省エネとなるという効果を奏する。
【００１３】
また、人感センサを有し、前記制御手段は人感センサの入力に応じてＬＥＤを駆動するＬＥＤ制御手段を有するという構成にしてもよい。これにより、人を検知したらＬＥＤ照明を駆動することができるので、人がいるときだけＬＥＤ照明を点灯させることができ、省エネとなるという効果を奏する。
【００１４】
また、換気装置本体下面開口部に前記ルーバの有無を検知する検知手段を設け、前記検知手段により前記ルーバの有無を判断する判断手段を有するという構成にしてもよい。これにより、ルーバの有無状態を判断できるので、ルーバの有無状態によって、換気装置の運転を制御できるという効果を奏する。
【００１５】
また、前記検知手段は接触型スイッチで構成するという構成にしてもよい。これにより、接触型スイッチからの信号で、ルーバの有無が分かるので、確実にルーバの有無を検知することができるという効果を奏する。
【００１６】
また、前記検知手段は非接触型スイッチで構成するという構成にしてもよい。これにより、非接触型スイッチからの信号で、ルーバの有無が分かるので、確実にルーバの有無を検知することができるという効果を奏する。
【００１７】
また、前記判断手段によりルーバ無と判断された場合、換気装置の運転を停止させるという構成にしてもよい。これにより、ルーバが取り外されると換気装置の運転が止まることとなるので、換気装置運転中に誤ってルーバを開けてもファンで怪我をする可能性が低くなるという効果を奏する。
【００１８】
また、前記ルーバは取り外した状態でＬＥＤ照明を駆動する蓄電手段を有するという構成にしてもよい。これにより、ＬＥＤ照明を単独で駆動できるので、換気装置に電力が供給されていなくてもＬＥＤ照明を点灯させられるという効果を奏する。
【００１９】
また、前記ルーバを取り外した状態で一定時間ＬＥＤ照明を点灯させるという構成にしてもよい。これにより、ＬＥＤ照明をメンテナンス時に内部照明として使用できるので、換気装置内部のメンテナンス時に換気装置内部を照らすための照明を用意する必要がないという効果を奏する。
【００２０】
また、ルーバはＬＥＤ照明の照明を本体側にも透過するという構成にしてもよい。これにより、メンテナンス時に、ルーバを裏返さずに内部照明として使用できるとなるので、メンテナンス時に、ルーバを裏返さずに換気扇内部照明として使用できるという効果を奏する。
【００２１】
また、蓄電手段は充電池で構成するという構成にしてもよい。これにより、充電池によりＬＥＤ照明に電力を供給するので、換気装置からの電力供給がない場合にも換気装置内部を照明できるという効果を奏する。
【００２２】
また、蓄電手段は電気二重層コンデンサで構成するという構成にしてもよい。これにより、電気二重層コンデンサによりＬＥＤ照明に電力を供給するので、安価に電力供給が行えるという効果を奏する。
【００２３】
また、蓄電手段は少なくとも照明駆動手段の駆動電力を上回る容量で構成するという構成にしてもよい。これにより、電力供給手段がＬＥＤ照明を駆動させられるとなるので、確実にＬＥＤ照明を駆動させられるという効果を奏する。
【００２４】
以下、本発明の実施形態について図を参照しながら説明する。
【００２５】
（実施の形態１）
図１に示すように本発明の照明装置付き換気装置は、例えばトイレ内の天井裏に設置されており、室内の空気を排気するファン１と、前記ファンを駆動するモータ２と、換気装置の運転を制御する制御手段３と、換気装置本体下面開口部にルーバ４を有し、前記ルーバ４は室内を照明するＬＥＤ照明５と、非接触給電方式としての電磁誘導にてＬＥＤ照明５に電力を供給する駆動手段６と、室内の空気を排気するためのアダプタ７にて構成される。また、制御手段３は換気装置、ＬＥＤ照明５の少なくともどちらか一方の運転を制御するような構成としてもよい。また、駆動手段６は電磁誘導を利用してもよい。図２はＬＥＤ照明に非接触給電するための回路構成を示す。図２のようにコイル１Ａの両端に商用電源からの交流電圧を引火し、コイル２Ａを近づけると電磁誘導によりコイル２Ａ側に電流が流れる。その電流をダイオードブリッジで整流、平滑コンデンサで平滑化し、ＬＥＤ照明５を駆動させ、室内を照明する。
【００２６】
このような構成によれば、駆動手段６によりＬＥＤ照明５に電力を供給することにより、非接触でＬＥＤ照明５を駆動できることとなり、電源コードなどの給電手段が不要となり、換気装置内部の掃除やメンテナンス時に電源コードの抜き差しなどの作業がなくなり、メンテナンス性が向上する。また、換気装置とＬＥＤ照明５の運転を独立して制御することとなり、使用者の意図に応じて換気装置のみの運転、ＬＥＤ照明のみの運転、換気装置とＬＥＤ照明の同時運転などを使い分けることができ、省エネとなる。
【００２７】
（実施の形態２）
本実施の形態は、実施の形態１に加えて、ルーバ４の付近に人感センサ８を備えている点に特徴がある。なお、実施の形態１と同一のものは同一番号を付し、その詳細な説明を省略する。上記のように構成した換気装置の動作について説明する。
【００２８】
図３において、人感センサ８が人を検知した場合に制御手段３は換気装置、ＬＥＤ照明５のどちらか、もしくは両方を運転させるものである。なお、人感センサは商用電源を整流平滑化した直流電源により駆動されるものとし、メンテナンス時に邪魔にならないようにルーバ４付近に設置されるものとする。
【００２９】
このような構成によれば、人感センサ８が人を検知した場合、制御手段３は換気装置とＬＥＤ照明５の両方を駆動させることができることとなり、使用者がスイッチを押すなどの作業を省くことができ、利便性が向上する。また、人感センサ８が人を検知した場合、制御手段３は換気装置とＬＥＤ照明５のどちらか、もしくは両方を駆動させる構成としてもよい。これにより、使用者の意図に応じて必要な機能だけを使用することとなり、省エネとなる。
【００３０】
（実施の形態３）
本実施の形態は、実施の形態２に加えて、換気装置本体の下面開口部にリミットスイッチなどの検知手段９と前記検知手段９からの信号により換気装置の運転、停止を判断する判断手段１０を備えている点に特徴がある。なお、実施の形態２と同一のものは同一番号を付し、その詳細な説明を省略する。上記のように構成した換気装置の動作について説明する。
【００３１】
図４において、検知手段９はルーバ４が換気装置に設置されているときはＯＮ、設置されていないとき、つまりルーバ４を取り外したときにＯＦＦとなるように設置するものである。また、判断手段１０は前記検知手段９がＯＮのときは換気運転を使用者からの指示通り行い、検知手段９がＯＦＦのときにルーバ無と判断し、換気運転を強制的に停止させるものである。
【００３２】
上記構成において、ルーバ４を換気装置本体に取り付けている場合に検知手段９はＯＮとなり、ルーバ４が換気装置本体から取り外された場合に検知手段９はＯＦＦとなる。検知手段９がＯＮの場合、判断手段は使用者からの運転指示通りの運転を行う。一方、検知手段９がＯＦＦとなった場合に判断手段１０がルーバ無と判断し、換気運転が行われている場合は強制的に換気運転を停止させる。
【００３３】
以上のように構成した換気装置は、ルーバの開閉に連動して換気運転を制御でき、使用者が換気運転中に誤ってルーバを取り外した場合に強制的に換気運転を停止させることとなり、回転中のファンで怪我をする可能性が低くなる。
【００３４】
（実施の形態４）
本実施の形態は、実施の形態２に加えて、換気装置本体の下面開口部の内部にホールＩＣ素子などの非接触型検知手段１１と前記ホールＩＣ素子の対面側のルーバ内に磁石１２を備え、さらに前記非接触型検知手段１１からの信号により照明のＯＮ／ＯＦＦを判断する判断手段１３を備えている点に特徴がある。なお、実施の形態２と同一のものは同一番号を付し、その詳細な説明を省略する。上記のように構成した換気装置の動作について説明する。
【００３５】
図５において、非接触型検知手段１１はルーバ４が換気装置に設置されているときはＯＮ、設置されていないときにＯＦＦとなるように設置するものである。また、判断手段１３は前記非接触型検知手段１１がＯＮのときは換気運転を使用者からの指示通り行い、非接触型検知手段１１がＯＦＦのときにルーバ無と判断し、換気運転を強制的に停止させるものである。
【００３６】
上記構成において、ルーバ４を換気装置本体に取り付けている場合に非接触型検知手段１１はＯＮとなり、ルーバ４が換気装置本体から取り外された場合に非接触型検知手段１１はＯＦＦとなる。非接触型検知手段１１がＯＮの場合、判断手段は使用者からの運転指示通りの運転を行う。一方、非接触型検知手段１１がＯＦＦとなった場合に判断手段１３がルーバ無と判断し、換気運転が行われている場合は強制的に換気運転を停止させる。
【００３７】
以上のように構成した換気装置は、ルーバの開閉に連動して換気運転を制御でき、使用者が換気運転中に誤ってルーバを取り外した場合に強制的に換気運転を停止させることとなり、回転中のファンで怪我をする可能性が低くなる。
【００３８】
（実施の形態５）ルーバにＬＥＤ照明駆動用電源
本実施の形態は、実施の形態３に加えて、ルーバ４にＬＥＤ照明駆動用の蓄電手段１４と、前記蓄電手段からＬＥＤ照明５に電力を供給するためのスイッチ１５を備えている点に特徴がある。なお、実施の形態３と同一のものは同一番号を付し、その詳細な説明を省略する。上記のように構成した換気装置の動作について説明する。
【００３９】
図６において、ルーバ４は蓄電手段１４（充電池、もしくは電気二重層コンデンサなど）とスイッチ１５を有し、スイッチ１５が押された場合に、非接触給電方式による給電から切り替え、蓄電手段１４からＬＥＤ照明５に電力を供給し、ＬＥＤ照明を所定時間駆動させる。所定時間とは、例えばルーバを外し、ファンを取り外して掃除し、ファンを取り付けるまでの間の３０分程度とする。また、ＬＥＤ照明５が蓄電手段１４によって駆動されている場合に、スイッチ１５を押すと、ＬＥＤ照明５は消灯するものとする。また、蓄電手段１４の容量は、少なくとも駆動手段６の駆動電力を上回る容量を有することとする。また、ルーバ４はＬＥＤ照明５を本体側にも透過する構成とする。
【００４０】
図７にルーバ４の構成を示す。ルーバ４に取り付けられたＬＥＤ１６の１６個のうち、１２個は室内側を照らすように設置し、４個は本体側を照らすように設置する。ルーバ４の透過板１７はＬＥＤ１６の明かりを室内側へ透過する構成とし、補助透過板１８はＬＥＤ１６の明かりを本体側へ透過する構成とする。ルーバ４に取り付ける照明の数は２個以上とし、本体側を照らすように設置する照明の数は、換気装置内を視認できるだけの照度があれば何個でも良い。なお、ＬＥＤ照明５を本体側にも透過する構成としては、ＬＥＤ照明５をルーバ４の側面に設置し、反射板を利用する構成としてもよい。
【００４１】
上記構成において、スイッチ１５をＯＮすることで蓄電手段１４によりＬＥＤ照明５を点灯する。ルーバ４を外してＬＥＤ照明５を点灯させると、換気装置内部を照らす照明として利用でき、ファンを容易に取り外せる換気装置の場合、ファンのボス周辺部には着脱方法の説明書きが書かれており、着脱方法の説明書きを照らすことになり、視認性を高め、メンテナンス性を向上させることとなる。また、ＬＥＤ照明の照明をルーバの裏側にも透過するような構成とすることで、メンテナンス時にわざわざルーバを裏返して換気扇内部を照明する必要がなくなる。
【００４２】
以上のような構成により、換気装置の掃除やメンテナンス時に、内部を照明する照明装置を別途用意する必要がなくなり、メンテナンス性を向上させることができる。
【産業上の利用可能性】
【００４３】
本発明にかかる換気装置は、換気装置のルーバに内蔵されたＬＥＤ照明を非接触給電方式により駆動するものであり、一般住宅などに用いられる換気装置に有用である。
【符号の説明】
【００４４】
１    ファン
２    モータ
３    制御手段
４    ルーバ
５    ＬＥＤ照明
６    駆動手段
７    アダプタ
８    人感センサ
９    検知手段
１０  判断手段
１１  非接触型検知手段
１２  磁石
１３  判断手段
１４  蓄電手段
１５  スイッチ
１６  ＬＥＤ
１７  透過板
１８  補助透過板
【図１】
2011242068.tif 000003
【図２】
2011242068.tif 000004
【図３】
2011242068.tif 000005
【図４】
2011242068.tif 000006
【図５】
2011242068.tif 000007
【図６】
2011242068.tif 000008
【図７】
2011242068.tif 000009